(57)【要約】【課題】飲食容器セットの構造の提供。【解決手段】一種の飲食容器セットの構造であり、中空の直立形の容器本体と弾性リングを含めている。容器本体は液体の注入と流出ができるように、頂上に開き口がある。リングはマイナスイオンのエネルギーを含めており、容器本体の外壁を通して液体の水分子を内部へ振動させて快速に変位させることにより、波動エネルギーの活性化を実現させ、人体の飲み水として適合し、健康にも役立つ。【選択図】図１
0003129147.tif 000002
【実用新案登録請求の範囲】
【請求項１】
中空の直立形の容器本体と弾性リングを含み、容器本体は液体の注入と流出ができるように頂上に開き口が設けられ、弾性リングは容器本体の外壁表面に嵌めて固定され、当該リングはマイナスイオンのエネルギーを有しており、容器本体の外壁を通して液体の水分子を内部の方へ振動させることを特徴とする飲食容器セットの構造。
【請求項２】
当該リングはゲルマニウム、バリウムや電気石を含めており、マイナスイオンのエネルギーを生成できることを特徴とする請求項１記載の飲食容器セットの構造。
【請求項３】
当該容器本体の外壁には凹みを設け、リングの固定に供されることを特徴とする請求項１記載の飲食容器セットの構造。
【請求項４】
当該リングは接続する底部があり、容器本体の下段の外壁と底部を下から上の方へ嵌め込んで固定できることを特徴とする請求項１記載の飲食容器セットの構造。
【請求項５】
当該リングの外周には複数の滑り止めが設けられていることを特徴とする請求項１記載の飲食容器セットの構造。
【請求項６】
当該容器本体の頂上にある開き口は蓋を接続し、蓋の外周には弾性リングを設け、当該リングにはマイナスイオンのエネルギーが含まれていることを特徴とする請求項１記載の飲食容器セットの構造。
【請求項７】
当該リングにはゲルマニウム、バリウムや電気石を含めているため、マイナスイオンのエネルギーを生成できることを特徴とする請求項６記載の飲食容器セットの構造。
【考案の詳細な説明】
【技術分野】
【０００１】
本考案は一種の飲食容器セットの構造に関するものであり、特にマイナスイオンのエネルギー効果を有する飲食容器セットの構造を指している。
【背景技術】
【０００２】
茶・水と飲料などの飲食容器の形はいろいろある。例えば：ポット、ボトル、缶、カップなどが茶・水と飲料などの液体を入れるように使われる。
【０００３】
一般のポット、ボトルと缶などの飲食容器は常に中空の直立形に作られ、茶・水や飲料水などの液体の注入と流出ができるように、容器の頂上に開き口があり、そして取り外せる蓋が付いている。
【０００４】
前述のポット、ボトルと缶などの飲食容器は携帯の便利性を考え、重量を減らすために、一般では容器をプラスチック射出成形法で作られている。プラスチックの容器の外壁は滑らかなので、しっかりと持つのが難しい。特に、従来の飲食容器は単純に液体を入れるだけなので、他の付加価値はなく、より合理的な利用法が欠けているため、改良する必要がある。
【考案の開示】
【考案が解決しようとする課題】
【０００５】
本考案の目的は、飲食容器セットの構造を提供し、容器本体の外壁表面にマイナスイオンのエネルギーを有するリングを設け、液体の水分子を快速に振動させて変位させることにより、活性化を実現し、人体や健康にとって良い飲用水を作り、体内の新陳代謝を高め、実際のニーズを満たすことにある。
【０００６】
前述の目的を実現するには、本考案の飲食容器は：中空の直立形の容器本体と弾性リングを含めている。容器本体は液体の注入と流出ができるように開き口がある。リングは容器本体の外壁表面に設けられている。リングにはマイナスイオンのエネルギーがあり、容器本体の外壁を通して液体の水分子を内部へ振動させることができる。
【０００７】
実行可能な実施例では、リングにゲルマニウム、バリウムや電気石が含まれてマイナスイオンのエネルギーを生成させる。
【０００８】
好ましい実施例では、容器本体の外壁に凹みがあり、リングの固定ができる。
【０００９】
ほかの実施例では、ここで、リングは底部があり、下から上の方へ容器本体の下段の外壁とそのボトムに嵌めて固定することができる。
【００１０】
理想の実施例では、容器本体の頂上の開き口に蓋が連結しており、この蓋の外周はマイナスイオンのエネルギーを有する弾性リングが付いている。
【課題を解決するための手段】
【００１１】
請求項１の考案は、中空の直立形の容器本体と弾性リングを含み、容器本体は液体の注入と流出ができるように頂上に開き口が設けられ、弾性リングは容器本体の外壁表面に嵌めて固定され、当該リングはマイナスイオンのエネルギーを有しており、容器本体の外壁を通して液体の水分子を内部の方へ振動させることを特徴とする飲食容器セットの構造としている。
請求項２の考案は、当該リングはゲルマニウム、バリウムや電気石を含めており、マイナスイオンのエネルギーを生成できることを特徴とする請求項１記載の飲食容器セットの構造としている。
請求項３の考案は、当該容器本体の外壁には凹みを設け、リングの固定に供されることを特徴とする請求項１記載の飲食容器セットの構造としている。
請求項４の考案は、当該リングは接続する底部があり、容器本体の下段の外壁と底部を下から上の方へ嵌め込んで固定できることを特徴とする請求項１記載の飲食容器セットの構造としている。
請求項５の考案は、当該リングの外周には複数の滑り止めが設けられていることを特徴とする請求項１記載の飲食容器セットの構造としている。
請求項６の考案は、当該容器本体の頂上にある開き口は蓋を接続し、蓋の外周には弾性リングを設け、当該リングにはマイナスイオンのエネルギーが含まれていることを特徴とする請求項１記載の飲食容器セットの構造としている。
請求項７の考案は、当該リングにはゲルマニウム、バリウムや電気石を含めているため、マイナスイオンのエネルギーを生成できることを特徴とする請求項６記載の飲食容器セットの構造としている。
【考案の効果】
【００１２】
本考案は飲食容器セットの構造を提供し、容器本体の外壁表面にマイナスイオンのエネルギーを有するリングを設け、液体の水分子を快速に振動させて変位させることにより、活性化を実現し、人体や健康にとって良い飲用水を作り、体内の新陳代謝を高め、実際のニーズを満たすことにある。
【考案を実施するための最良の形態】
【００１３】
まず、図１を参照すること。本考案の飲食容器（１０）は主にポット、ボトル、缶、カップなど、特に携帯できる容器を対象にしている。図１では、ボトル類の容器（１０）を実施例に挙げて説明している。このこのボトル類の容器（１０）は中空の直立形の容器本体（１１）とし、透明プラスチック材質でプラスチック射出法で作られたものはもっと良い。更に、頂上に取り外せるある蓋（２０）が付いており、携帯型のボトルを構成している。
【００１４】
図１、図２の実施例では、容器本体（１１）を適当の容積にし、この容器本体（１１）には底部（１２）、そして頂上に開き口（１３）の中空フランジ部（１４）があるため、茶・水や飲料などの液体を入れることができる。容器本体（１１）の外壁表面には目盛り（１７）がある。容器本体（１１）の中空フランジ部（１４）には外部ねじ山（１５）が設けられている。蓋（２０）は外周のフランジ（２４）で下向けの開き口（２３）を成しており、フランジ（２４）の内縁には内部ねじ山（１５）があるため、容器本体（１１）の頂上の開き口（１３）を閉めることができる。
【００１５】
前述の蓋（２０）はプラスチックの材質で一体成形し、外周のフランジ（２４）の方に彎曲可能な延長バンド（２１）が付いている。延長バンド（２１）の末端にはリング片（２２）が接続され、容器本体（１１）の中空フランジ部（１４）の外周と接続する。これで、蓋（２０）を無くすことが避けられる。
【００１６】
本考案のボトル容器（１０）は主に、容器本体（１１）の外壁表面に弾性リング（３０）が付けられている。このリング（３０）はゴムやプラスチック類の材料にマイナスイオンのエネルギー原料を混入して作られたものである。リング（３０）はマイナスイオンのエネルギーを含めているので、マイナスイオンのエネルギーは容器本体（１１）を通して内部の液体に対して作用を起こすことができる。液体の水分子を高頻度で振動させて変位させることにより、活性化を起こす。人体や健康にとってよい飲用水ができ、人体の新陳代謝をも高められる。
【００１７】
図２、図３のこのましい実施例では、当該リング（３０）がマイナスイオンのエネルギー原料、例えば、ゲルマニウム、バリウムや電気石などの原料を含めているため、マイナスイオンのエネルギーを放出できる。また、容器本体（１１）の中段の位置に凹み（１６）を設けることができ、リング（３０）は確かな位置に固定される。さらに、リング（３０）外周の表面に間隔を置いて複数の縦方向の滑りとめ（３１）があるので、握る時はしっかりとできる。
【００１８】
前述のボトル容器（１０）の蓋（２０）の外周フランジ（２４）には凹み（２６）を設けることができ、凹み（２６）の表面に間隔を置く複数の縦方向の溝（２７）を入れ、さらに、図３のように弾性リング（４０）を嵌めて固定することができる。このリング（４０）は同様に、マイナスイオンのエネルギー原料を含めているし、外周表面には複数の滑り止め（４１）があるので、握ることと蓋（２０）の開け閉めに役立つ。
【００１９】
図４、図５で示されるもう一つの実施例を参照すること。当該容器（１００）は同様に中空の直立形容器本体（１１０）であり、その下段の位置に弾性リング（３００）が付いている。この弾性リング（３００）も同様に、マイナスイオンのエネルギー原料を含めている。また、このリングは延長して接続する底部（３２０）があるため、リング（３００）は下から上の方へ、容器本体（１１０）の下段の外壁と底部に嵌めて固定する。
【００２０】
本考案の容器本体の外壁にはマイナスイオンのエネルギーを有するリングが付いているため、液体の水分子を高頻度で振動させて変位させることができ、液体の活性化が促進できる。人体の飲み水に適合し、健康にも役立ち、体内の新陳代謝作用が高められ、実際のニーズを満たすことができる。
【図面の簡単な説明】
【００２１】
【図１】本考案の好ましい実施例における飲食容器の立体図である。
【図２】図１の飲食容器の蓋が開けられた立体図である。
【図３】図１の飲食容器の外周リングの一部の断面図であり、蓋にはリングが付いている。
【図４】本考案のもう一つの実施例における飲食容器の立体図である。
【図５】図４の飲食容器の底部のリングの立体図である。
【符号の説明】
【００２２】
１０  容器
１１  容器本体
１２  底部
１３、２３  開き口
１４  中空のフランジ部
１５  外部ねじ山
１６  凹み
１７  目盛り
２０  蓋
２１  延長バンド
２２  リング片
２４  フランジ
２５  内部ねじ山
２６  凹み
２７  溝
３０  リング
３１  滑り止め
４０  リング
４１  滑り止め
１００  容器
１１０  容器本体
３００  リング
３２０  底部
【図１】
0003129147.tif 000003
【図２】
0003129147.tif 000004
【図３】
0003129147.tif 000005
【図４】
0003129147.tif 000006
【図５】
0003129147.tif 000007